(57)【要約】【課題】振動の影響を受ける環境下においても良好な電気的接続を確保し得るように電子機器に容易に固定可能な携帯端末の固定構造を提供することにある。【解決手段】スライド部材１２がスライド方向に交差する係合方向から携帯端末３０に対して一側係合部１４にて係合した状態にて携帯端末３０とともにスライド方向他側にスライドする。そして、スライド部材１２がさらにスライドして他側係合部１５が係止部材１６に係合するとき、連結部１３が押圧部材１７により係合方向に押圧された状態で、携帯端末３０が電子機器１０に固定されるとともに、これら携帯端末３０および電子機器１０が電気的に接続される。【選択図】図４
2011030316.tif 000002
【特許請求の範囲】
【請求項１】
振動の影響を受ける電子機器に対して携帯端末を電気的に接続するときにこの携帯端末を前記電子機器に固定するための固定構造であって、
前記電子機器は、
一側係合部および他側係合部を有しこれら両係合部を連結する弾性材よりなる連結部の一部にてスライド可能に支持されて前記一側係合部がスライド方向に交差する係合方向から前記携帯端末に係脱可能に形成されるスライド部材と、
スライド方向他側にスライドした前記スライド部材の前記他側係合部にて係合することで当該スライド部材が固定される係止部材と、
前記他側係合部が前記係止部材に係合するとき前記連結部を前記係合方向に押圧する押圧部材と、
を備え、
前記スライド部材が前記携帯端末に対して前記一側係合部にて係合した状態にて当該携帯端末とともに前記スライド方向他側にスライドして前記他側係合部にて前記係止部材に対して係合することで、前記携帯端末が前記電子機器に固定されるとともに、これら携帯端末および電子機器が電気的に接続されることを特徴とする携帯端末の固定構造。
【請求項２】
前記スライド部材は、前記携帯端末を前記一側係合部にて挟持するように互いに対向して一対設けられており、前記スライド方向他側にスライドした前記スライド部材の前記他側係合部が前記係止部材にそれぞれ係合可能に設けられていることを特徴とする請求項１に記載の携帯端末の固定構造。
【請求項３】
前記他側係合部は、前記スライド方向他側へのスライドにより前記係止部材を乗り越えてスライド方向一側の一端面にてこの係止部材に当接することで当該係止部材に係合するように形成されるとともに、前記係止部材を乗り越えるときに前記スライド方向他側の他端面が当該係止部材に対して傾斜して接触するように形成されることを特徴とする請求項１または２に記載の携帯端末の固定構造。
【請求項４】
前記係止部材は、前記スライド方向他側にスライドされた前記他側係合部に係合可能な係合位置と、前記他側係合部との係合を解除するための係合解除位置との間を移動可能に支持されており、
前記係止部材に対して前記係合位置に付勢することで当該係止部材と前記他側係合部との係合を維持する付勢部材が設けられていることを特徴とする請求項１〜３のいずれか一項に記載の携帯端末の固定構造。
【発明の詳細な説明】
【技術分野】
【０００１】
本発明は、電子機器に対して携帯端末を電気的に接続するときにこの携帯端末を電子機器に固定するための固定構造に関するものである。
【背景技術】
【０００２】
従来から、電子機器に対して携帯端末を電気的に接続するときにこの携帯端末を電子機器に固定するための固定構造に関する技術として、下記特許文献１に示す携帯端末の固定構造が知られている。この特許文献１では、充電器の上面に３つの凸部が設けられ、充電器の上面と対面する携帯端末の背面には３つの凹部が設けられている。そして、凹部と凸部を嵌合することによって携帯端末を充電器に位置決め保持し、携帯端末の電池端子を充電端子に電気接続させている。
【先行技術文献】
【特許文献】
【０００３】
【特許文献１】特開２００２−１２５３２３
【発明の概要】
【発明が解決しようとする課題】
【０００４】
ところで、携帯端末はその利便性から様々な場所へ携行され、電子機器に接続された状態で使用されることがある。しかしながら、上述のような携帯端末の固定構造では、例えば、携帯端末が電子機器に対して電気的に接続された状態で自動車等の車内など振動が加わる場所で使用される場合、携帯端末が電子機器との間でガタついたり、携帯端末と電子機器との電気的接続部が摩耗したりする問題があった。
【０００５】
このような携帯端末と電子機器との間のガタつきや電気的接続部の摩耗を抑えるために、携帯端末を電子機器に対してネジなどの締結部材を用いて強固に固定することが考えられるが、このような携帯端末の固定構造では、携帯端末の固定時にはネジを締め付ける必要があり、また、携帯端末の取り外し時にはネジを緩めなければならず、携帯端末の脱着を容易に行うことが難しかった。
【０００６】
本発明は、上述した課題を解決するためになされたものであり、その目的とするところは、振動の影響を受ける環境下においても良好な電気的接続を確保し得るように電子機器に対して容易に固定可能な携帯端末の固定構造を提供することにある。
【課題を解決するための手段】
【０００７】
上記目的を達成するため、特許請求の範囲に記載の請求項１の携帯端末の固定構造では、振動の影響を受ける電子機器に対して携帯端末を電気的に接続するときにこの携帯端末を前記電子機器に固定するための固定構造であって、前記電子機器は、一側係合部および他側係合部を有しこれら両係合部を連結する弾性材よりなる連結部の一部にてスライド可能に支持されて前記一側係合部がスライド方向に交差する係合方向から前記携帯端末に係脱可能に形成されるスライド部材と、スライド方向他側にスライドした前記スライド部材の前記他側係合部にて係合することで当該スライド部材が固定される係止部材と、前記他側係合部が前記係止部材に係合するとき前記連結部を前記係合方向に押圧する押圧部材と、を備え、前記スライド部材が前記携帯端末に対して前記一側係合部にて係合した状態にて当該携帯端末とともに前記スライド方向他側にスライドして前記他側係合部にて前記係止部材に対して係合することで、前記携帯端末が前記電子機器に固定されるとともに、これら携帯端末および電子機器が電気的に接続されることを特徴とする。
【０００８】
請求項２の発明は、請求項１に記載の携帯端末の固定構造において、前記スライド部材は、前記携帯端末を前記一側係合部にて挟持するように互いに対向して一対設けられており、前記スライド方向他側にスライドした前記スライド部材の前記他側係合部が前記係止部材にそれぞれ係合可能に設けられていることを特徴とする。
【０００９】
請求項３の発明は、請求項１または２に記載の携帯端末の固定構造において、前記他側係合部は、前記スライド方向他側へのスライドにより前記係止部材を乗り越えてスライド方向一側の一端面にてこの係止部材に当接することで当該係止部材に係合するように形成されるとともに、前記係止部材を乗り越えるときに前記スライド方向他側の他端面が当該係止部材に対して傾斜して接触するように形成されることを特徴とする。
【００１０】
請求項４の発明は、請求項１〜３のいずれか一項に記載の携帯端末の固定構造において、前記係止部材は、前記スライド方向他側にスライドされた前記他側係合部に係合可能な係合位置と、前記他側係合部との係合を解除するための係合解除位置との間を移動可能に支持されており、前記係止部材に対して前記係合位置に付勢することで当該係止部材と前記他側係合部との係合を維持する付勢部材が設けられていることを特徴とする。
【発明の効果】
【００１１】
請求項１の発明では、スライド部材がスライド方向に交差する係合方向から携帯端末に対して一側係合部にて係合した状態にて携帯端末とともにスライド方向他側にスライドする。そして、スライド部材がさらにスライドして他側係合部にて係止部材に係合するとき、連結部が押圧部材により係合方向に押圧された状態で、携帯端末が電子機器に固定されるとともに、これら携帯端末および電子機器が電気的に接続されるように構成されている。
【００１２】
このように、携帯端末を係合させたスライド部材を係止部材に係合するまでスライド方向へスライドさせることにより、携帯端末が電子機器に容易に固定される。特に、スライド方向他側にスライドしていないスライド部材の一側係合部を携帯端末の被係合部に対して係合させる場合には、連結部が反係合方向に弾性変形することで一側係合部が反係合方向に移動するので、携帯端末を一側係合部に容易に係合させることができる。
【００１３】
さらに、スライド部材がスライド方向他側にスライドされて他側係合部が係止部材に係合するときに、スライド部材の連結部が押圧部材にて係合方向に押圧されるので、一側係合部も携帯端末との係合方向に押圧されることとなる。このため、ネジなどの締結部材を用いることなく、携帯端末が一側係合部に強固に固定される。これにより、たとえ電子機器に外部から振動が加えられても、携帯端末のガタつきや電気的接続部の摩耗を抑えることができ、良好な電気的接続を確保することができる。
【００１４】
請求項２の発明では、スライド部材が携帯端末を一側係合部にて挟持するように互いに対向して一対設けられている。そして、スライド方向他側にスライドした各スライド部材の他側係合部が係止部材にそれぞれ係合可能に設けられている。
【００１５】
すなわち、まず一対のスライド部材の間に携帯端末が挿入されると、各スライド部材がスライド方向に交差するそれぞれの係合方向から携帯端末に対して各一側係合部にて係合する。続いて、携帯端末に係合した各スライド部材がスライド方向他側にスライドして各他側係合部が係止部材に係合するとき、各スライド部材の各連結部が押圧部材によりそれぞれの係合方向に押圧される。これにより、各スライド部材が携帯端末を両側から挟み込んだ状態で、携帯端末が電子機器に固定されることとなるため、携帯端末が各一側係合部により強固に固定されて、携帯端末のガタつきや電気的接続部の摩耗を一層抑えることができ、良好な電気的接続を確保することができる。
【００１６】
請求項３の発明では、他側係合部が、スライド方向他側へのスライドにより係止部材を乗り越えてスライド方向一側の一端面にてこの係止部材に当接することで当該係止部材に係合するように形成されている。そして、係止部材を乗り越えるときにスライド方向他側の他端面が当該係止部材に対して傾斜して接触するように形成されている。
【００１７】
すなわち、スライド部材の他側係合部が他端面にて係止部材に対して傾斜して接触した状態でスライド方向他側へさらにスライドすると、この他側係合部が他端面にて案内されて係止部材を乗り越えて、他側係合部が係止部材に対して係合することとなる。これにより、他側係合部の他端面が係止部材に対して傾斜することなく接触するように形成されている場合と比較して、係止部材を乗り越えるために必要なスライド力が小さくなり、他側係合部および係止部材を容易に係合することができる。
【００１８】
請求項４の発明では、係止部材が、スライド方向他側にスライドされた他側係合部に係合可能な係合位置と、他側係合部との係合を解除するための係合解除位置との間を移動可能に支持されている。そして、係止部材に対して係合位置に付勢することで当該係止部材と他側係合部との係合を維持する付勢部材が設けられている。
【００１９】
すなわち、係止部材が付勢部材により上記係合位置に付勢されている場合には、当該係止部材と他側係合部との係合が維持され、付勢部材の付勢力に抗する力が係止部材に作用する場合には、係止部材が係合解除位置に移動して当該係止部材と他側係合部との係合が解除される。これにより、電子機器に固定された携帯端末を容易に取り外すことができる。
【図面の簡単な説明】
【００２０】
【図１】本実施形態に係る携帯端末３０の固定構造の構成概要を示す一部断面図である。
【図２】本実施形態に係る携帯端末３０の固定構造の構成概要を示す図であり、図２（Ａ）は電子機器１０の上面図であり、図２（Ｂ）は電子機器１０の正面図であり、図２（Ｃ）は電子機器１０の右側面図である。
【図３】係止部材１６が係合解除位置に移動した状態を示す図である。
【図４】携帯端末３０を電子機器１０に固定する工程を示す説明図であり、図４（Ａ）は固定前の携帯端末３０と電子機器１０の各一側係合部１４とが接触した状態であり、図４（Ｂ）は固定前の携帯端末３０と電子機器１０の各一側係合部１４とが係合した状態であり、図４（Ｃ）は電子機器１０の他側係合部１５と係止部材１６とが係合して携帯端末３０が電子機器１０に固定された状態である。
【発明を実施するための形態】
【００２１】
以下、本発明に係る携帯端末３０の固定構造の実施形態について図を参照して説明する。携帯端末３０は、読み取り作業などによって外部より取得した情報等について、電気的に接続される電子機器１０を介して図略のホストコンピュータ等と通信を行う通信端末などとして構成されるものである。電子機器１０は、携帯端末３０に電気的に接続されるとともに当該携帯端末３０を固定する役割を果たすもので、本発明に係る特徴的構成を有するものである。
【００２２】
図１に示すように、携帯端末３０は、筐体３１内に上記取得情報に関する情報処理等を実現するための制御回路やメモリ等の各種電気部品や各種電気部品の電源として機能する充電池など（図示省略）が収容されるように構成されている。また、携帯端末３０の両側面には、電子機器１０のスライド部材１２（後述する）と係合可能な被係合部３３がそれぞれ形成されている。さらに、携帯端末３０の下端部には、電子機器１０と電気的に接続して、ホストコンピュータ等と通信を行うための携帯端末側コネクタ３２が設けられている。
【００２３】
電子機器１０は、一方向が開口するハウジング１１と、ハウジング１１にスライド可能に設けられる一対のスライド部材１２と、各スライド部材１２が係合可能な係止部材１６と、各スライド部材１２の一部位をそれぞれ押圧可能な２つの押圧部材１７と、電子機器側コネクタ１８とを備えている。
【００２４】
各スライド部材１２は、弾性材よりなる連結部１３と、この連結部１３の両端に連結される一側係合部１４および他側係合部１５とから構成されており、互いの一部がハウジング１１内にて対向し、残部が開口部１１ａから突出して対向するように配置されている。各スライド部材１２は、スライド方向（図１中矢印α）にスライドするように、連結部１３の一部にてハウジング１１にそれぞれ支持されている。
【００２５】
各一側係合部１４は、スライド方向に交差する係合方向から携帯端末３０のそれぞれの被係合部３３に係脱可能に連結部１３のスライド方向一側に連結されている。また、各他側係合部１５は、後述する係合位置の係止部材１６に対して係合可能に連結部１３のスライド方向他側に連結されている。各他側係合部１５は、スライド方向一側の端面（以下、一端面１５ａという）がスライド方向に対して直交するようにそれぞれ形成されており、スライド方向他側の端面（以下、他端面１５ｂという）がスライド方向に対して傾斜するようにそれぞれ形成されている。
【００２６】
係止部材１６は、図２に示すように、長手方向中央から突起１６ａが突出する略長板状に形成されており、この突起１６ａがハウジング１１のスリット１１ｂから突出するように配置されている。また、係止部材１６には、突起１６ａが設けられている側とは反対側の長手方向中央に、電子機器側コネクタ１８の配線等を通すための切欠が設けられている。このように構成される係止部材１６は、付勢部材１９によりスライド方向他側にスライドした各他側係合部１５と係合可能な位置（以下、係合位置という）に付勢されている。そして、係止部材１６は、図３に示すように、付勢部材１９の付勢力に抗する力（図３中矢印方向β）が突起１６ａに加えられると、他側係合部１５との係合が解除される位置（以下、係合解除位置という）に移動するように構成されている。
【００２７】
各押圧部材１７は、ハウジング１１の内周面から断面円弧状に突出してその先端部にて各連結部１３に当接可能な位置にハウジング１１とそれぞれ一体形成されている。なお、押圧部材１７は、ハウジング１１と一体形成されることに限らず、ハウジング１１とは別部材で形成することもできる。
【００２８】
電子機器側コネクタ１８は、後述するように携帯端末３０が電子機器１０に固定されるとき、携帯端末側コネクタ３２と電気的に接続するように構成されている。この電子機器側コネクタ１８は、図略のホストコンピュータ等に接続されており、携帯端末側コネクタ３２との電気的接続時に、携帯端末３０からの信号をホストコンピュータ等に伝達したり、携帯端末３０に対してホストコンピュータ等からの信号を伝達したりする機能を有する。
【００２９】
次に、上述のように構成される電子機器１０に携帯端末３０を固定する工程を、図４を用いて説明する。
まず、作業者は、携帯端末３０を電子機器１０に電気的に接続するために、図４（Ａ）に示すように、携帯端末３０をハウジング１１の開口部１１ａから突出した一対のスライド部材１２の各一側係合部１４に接触させる。これにより、各連結部１３が反係合方向に弾性変形されて各一側係合部１４が互いに離間するようにそれぞれ反係合方向に移動し、携帯端末３０の一部が一対のスライド部材１２の間に挿入される。
【００３０】
そして、作業者が携帯端末３０を電子機器１０に対してスライド方向他側に移動させることで、図４（Ｂ）に示すように、各一側係合部１４がスライド方向に交差するそれぞれの係合方向から携帯端末３０の各被係合部３３に係合する。このように、各連結部１３の弾性変形により各一側係合部１４が互いに離間するようにそれぞれ反係合方向に移動するので、携帯端末３０を各一側係合部１４に容易に係合させることができる。
【００３１】
そして、作業者が携帯端末３０をさらにスライド方向他側に移動させることで、各被係合部３３に係合した各スライド部材１２がハウジング１１に対してスライド方向他側にスライドする。このようにスライドする各スライド部材１２が各他側係合部１５の各他端面１５ｂにて係止部材１６の一側面の長手方向の両外縁にそれぞれ接触する。このとき、各他端面１５ｂが係止部材１６に対して傾斜して接触するように形成されているので当該係止部材１６を乗り越えるために必要なスライド力が小さくなる。このため、各他端面１５ｂが係止部材１６に相対的に案内されて、当該係止部材１６を容易に乗り越えることとなる（図４（Ｂ）参照）。
【００３２】
そして、作業者により各スライド部材１２がさらにスライド方向他側にスライドされると、図４（Ｃ）に示すように、係止部材１６を乗り越えた各他側係合部１５が各一端面１５ａにて係止部材１６の他側面の長手方向の両外縁にそれぞれ当接して係合する。これにより、携帯端末３０が各スライド部材１２および係止部材１６を介して電子機器１０に強固に固定されることとなる。そして、このとき、携帯端末側コネクタ３２と電子機器側コネクタ１８とが接触し、携帯端末３０と電子機器１０とが電気的に接続される。
【００３３】
このように、各スライド部材１２が携帯端末３０を両側から挟み込んだ状態で、携帯端末３０が電子機器１０に固定されることとなる。これにより、ネジなどの締結部材を用いることなく、携帯端末３０を電子機器１０に強固に固定することができ、たとえ電子機器１０に外部から振動が加えられても、携帯端末３０のガタつきや携帯端末側コネクタ３２と電子機器側コネクタ１８との接触部の摩耗を抑えることができ、良好な電気的接続を確保することができる。
【００３４】
特に、各スライド部材１２の各連結部１３が断面円弧状に形成された各押圧部材１７の先端部にてスライド方向に交差するそれぞれの係合方向に押圧されるので、各一側係合部１４および各被係合部３３や各他側係合部１５および係止部材１６がより強く係合されることとなる。
【００３５】
そして、このように携帯端末３０が電子機器１０に強固に固定された状態において、携帯端末３０を取り外す場合には、まず、作業者は、スリット１１ｂから突出する係止部材１６の突起１６ａをβ方向に押圧する。これにより、付勢部材１９の付勢力に抗する力が係止部材１６に加えられることとなり、係止部材１６が係合解除位置に移動して、係止部材１６と各他側係合部１５との係合が解除される（図３参照）。
【００３６】
そして、作業者が携帯端末３０を電子機器１０から離間させると、携帯端末３０に係合している各スライド部材１２がハウジング１１に対してスライド方向一側にスライドする。さらに各スライド部材１２が所定のスライド限度位置までスライドすると、各一側係合部１４が携帯端末３０の各被係合部３３から離脱する。このとき、各押圧部材１７は各連結部１３の他側係合部１５近傍を押圧しているため、各連結部１３は各一側係合部１４が互いに離間する方向により弾性変形し易くなる。このため、各被係合部３３と各一側係合部１４との係合が外れ易くなり、電子機器１０に強固に固定された携帯端末３０を容易に取り外すことができる。
【００３７】
以上説明したように、本実施形態に係る携帯端末３０の固定構造では、スライド部材１２がスライド方向に交差する係合方向から携帯端末３０に対して一側係合部１４にて係合した状態にて携帯端末３０とともにスライド方向他側にスライドする。そして、スライド部材１２がさらにスライドして他側係合部１５が係止部材１６に係合するとき、連結部１３が押圧部材１７により係合方向に押圧された状態で、携帯端末３０が電子機器１０に固定されるとともに、これら携帯端末３０および電子機器１０が電気的に接続されるように構成されている。
【００３８】
このように、携帯端末３０を係合させたスライド部材１２を係止部材１６に係合するまでスライド方向へスライドさせることにより、携帯端末３０が電子機器１０に容易に固定される。特に、スライド方向他側にスライドしていないスライド部材１２の一側係合部１４を携帯端末３０の被係合部３３に対して係合させる場合には、連結部１３が反係合方向に弾性変形することで一側係合部１４が反係合方向に移動するので、携帯端末３０を一側係合部１４に容易に係合させることができる。
【００３９】
さらに、スライド部材１２がスライド方向他側にスライドされて他側係合部１５が係止部材１６に係合するときに、スライド部材１２の連結部１３が押圧部材１７にて係合方向に押圧されるので、一側係合部１４も携帯端末３０との係合方向に押圧されることとなる。このため、ネジなどの締結部材を用いることなく、携帯端末３０が一側係合部１４に強固に固定される。これにより、たとえ電子機器１０に外部から振動が加えられても、携帯端末３０のガタつきや携帯端末側コネクタ３２と電子機器側コネクタ１８との接触部の摩耗を抑えることができ、良好な電気的接続を確保することができる。
【００４０】
また、スライド部材１２が携帯端末３０を一側係合部１４にて挟持するように互いに対向して一対設けられている。このため、各スライド部材１２が携帯端末３０を両側から挟み込んだ状態で、携帯端末３０が電子機器１０に固定されることとなるため、携帯端末３０が各一側係合部１４により強固に固定されて、携帯端末３０のガタつきや携帯端末側コネクタ３２と電子機器側コネクタ１８との接触部の摩耗を一層抑えることができ、良好な電気的接続を確保することができる。
【００４１】
また、他側係合部１５が、スライド方向他側へのスライドにより係止部材１６を乗り越えてスライド方向一側の一端面１５ａにてこの係止部材１６に当接することで当該係止部材１６に係合するように形成されている。そして、係止部材１６を乗り越えるときにスライド方向他側の他端面１５ｂが当該係止部材１６に対して傾斜して接触するように形成されている。
【００４２】
これにより、他側係合部１５の他端面１５ｂが係止部材１６に対して傾斜することなく接触するように形成されている場合と比較して、係止部材１６を乗り越えるために必要なスライド力が小さくなり、他側係合部１５および係止部材１６を容易に係合することができる。
【００４３】
また、係止部材１６が、スライド方向他側にスライドされた他側係合部１５に係合可能な係合位置と、他側係合部１５との係合を解除するための係合解除位置との間を移動可能に支持されている。そして、係止部材１６に対して係合位置に付勢することで当該係止部材１６と他側係合部１５との係合を維持する付勢部材１９が設けられている。
【００４４】
すなわち、係止部材１６が付勢部材１９により上記係合位置に付勢されている場合には、当該係止部材１６と他側係合部１５との係合が維持され、付勢部材１９の付勢力に抗する力が係止部材１６に作用する場合には、係止部材１６が係合解除位置に移動して当該係止部材１６と他側係合部１５との係合が解除される。これにより、電子機器１０に固定された携帯端末３０を容易に取り外すことができる。
【００４５】
なお、本発明は上記実施形態に限定されるものではなく、以下のように具体化してもよく、その場合でも、上記実施形態と同等の作用・効果が得られる。
（１）スライド部材１２は電子機器１０のハウジング１１に一対設けられることに限定されず、１つのみ設けられていてもよい。この場合、携帯端末３０を強固に固定するため、電子機器１０には、スライド部材１２とともにスライド方向他側に移動した携帯端末３０が係止可能な係止部が別途設けられてもよい。
（２）携帯端末３０の形状はとくに限定されず、スライド部材１２の一側係合部１４が係合可能な被係合部が形成されていれば、角柱状の携帯端末３０だけでなく円柱状の携帯端末３０にも本実施形態を適用することができる。
（３）携帯端末３０の被係合部３３は凹状に形成されることに限らず、例えば、凸状に形成されてもよい。この場合、一側係合部１４は、被係合部３３に対して係合可能に形成される。
（４）スライド部材１２の他側係合部１５は、係止部材１６を乗り越えることなく直接係止部材１６に嵌合などして係止してもよい。
【符号の説明】
【００４６】
１０…電子機器
１２…スライド部材
１３…連結部
１４…一側係合部
１５…他側係合部
１５ａ…一端面
１５ｂ…他端面
１６…係止部材
１７…押圧部材
１９…付勢部材
３０…携帯端末
【図１】
2011030316.tif 000003
【図２】
2011030316.tif 000004
【図３】
2011030316.tif 000005
【図４】
2011030316.tif 000006